(57)【要約】 【課題】  放送用及び業務用ビデオカメラに適用されるビューファインダであって、簡単な機構で故障が少なく、安価な白黒及びカラー表示兼用ビューファインダを提供することにある。【解決手段】  ビューファインダケース本体１０内に、ビデオカメラにより撮影した映像を表示する白黒ＣＲＴ１１と、映像をカラー表示するカラー表示パネル１２とを備え、白黒ＣＲＴは接眼部への光軸から外れた位置に配置するとともに、カラー表示パネルは接眼部３０への光軸４０上に配置し、かつ回動自在な反射鏡１４を配置して、白黒ＣＲＴの表示する映像を選択する際は、当該映像を前記反射鏡１４により反射させることで前記接眼部へ供給させ、カラー表示パネルの映像を選択する際は、反射鏡を接眼部への光軸を遮らない位置に回動させることで当該映像を直接接眼部へ供給させるようにした。【選択図】      図１
2006067407.tif 000002
【特許請求の範囲】
【請求項１】
ビューファインダケース本体内に、ビデオカメラにより撮影した映像を表示する白黒ＣＲＴと、映像をカラー表示するカラー表示パネルとを備えた白黒及びカラー表示兼用ビューファインダであって、
前記白黒ＣＲＴは接眼部への光軸から外れた位置に配置するとともに、前記カラー表示パネルは接眼部への光軸上に配置し、かつ前記ビューファインダケース本体内に一端部が軸支され駆動手段により回動自在な反射鏡を配置して、前記白黒ＣＲＴの表示する映像を選択する際は、当該映像を前記反射鏡により反射させることで前記接眼部へ供給させ、前記カラー表示パネルが表示する映像を選択する際は、前記反射鏡を前記接眼部への光軸を遮らない位置に回動させることで当該映像を直接前記接眼部へ供給させるようにしたことを特徴とする白黒及びカラー表示兼用ビューファインダ。
【請求項２】
前記反射鏡は前記駆動手段により、オートホワイトバランス調整機能が実行されると前記カラー表示パネルが表示する映像を選択する位置に自動的に駆動され、前記オートホワイトバランス調整機能が完了すると所定時間経過後に前記白黒ＣＲＴが表示する映像を選択する位置に自動的に復帰するように構成されていることを特徴とする請求項１記載の白黒及びカラー表示兼用ビューファインダ。
【請求項３】
前記白黒ＣＲＴ及び前記カラー表示パネルへの電源は、前記反射鏡の切換え動作を検出する切換え検出回路からの検出信号により制御され、前記白黒ＣＲＴ又は前記カラー表示パネルのうち表示映像が選択されていない側の電源が自動的に切られるように構成されていることを特徴とする請求項１または２記載の白黒及びカラー表示兼用ビューファインダ。
【発明の詳細な説明】
【技術分野】
【０００１】
本発明は、放送用及び業務用ビデオカメラに使用する白黒及びカラー表示兼用ビューファインダに関するものである。
【０００２】
従来より、放送用及び業務用ビデオカメラに使用されるビューファインダには、フォーカスを合わせるのに高解像度の映像が要求されていたため、白黒ＣＲＴ（Ｃａｔｈｏｄｅ  Ｒａｙ  Ｔｕｂｅ）が使用されている。
【０００３】
前記ビューファインダは、そのケース本体内部において表示部となる白黒ＣＲＴを接眼部への光軸に対して直角に設け、且つ、光軸上に白黒ＣＲＴの映像を反射させて接眼部へと導く反射ミラーを設けた構造となっている。よって、撮影者は接眼部に設けられているアイピースを覗くことで、この反射ミラーからの映像を通し撮影した映像を確認することができる。
【０００４】
しかし、上記従来の白黒ＣＲＴによるビューファインダでは、カラー映像の表示ができないため、撮影開始前に行う調整作業において色温度（ホワイトバランス）が合っているかどうかの確認をすることができず、外付けのカラーモニターへの接続等により確認をせざるを得ないため非常に手間が掛かっていた。
【０００５】
また、撮影中において被写体の姿・格好がどれも似ていると、色により撮影対象を見分ける方が容易な場合があるが、このようなときは、上記従来のビューファインダでは被写体の動き等により撮影対象を捕捉しきれない場合があった。
【０００６】
それでは、ビューファインダにおけるモニターの映像を常にカラー映像で表示させるようにすると、撮影開始前の調整作業等、特定の場合には好適ではあるが、通常撮影の場合のマニュアルでのフォーカス合わせには解像度の点で対応が難しくなる。このため、高解像度表示のできる白黒ＣＲＴによる映像を必要としてくる。
【０００７】
そこで、白黒及びカラー表示が兼用できるビューファインダに関する技術が提案されている。例えば、特許文献１には白黒ＣＲＴの映像を切り換えてカラー画像を容易に視認することができるビューファインダに関する記載がある。
【０００８】
このビューファインダは、ビデオカメラによって撮影された映像を白黒表示する高解像度の白黒ＣＲＴと、撮影された映像をカラー表示するカラー表示パネルとを設けるとともに、前記反射鏡の角度を切り換えることにより、白黒ＣＲＴの映像とカラー表示パネルからの映像のいずれかを反射板で反射させて接眼部に供給するように構成されている。
【０００９】
【特許文献１】特開２００１−３２６８３８号公報（明細書全文）
【発明の開示】
【発明が解決しようとする課題】
【００１０】
しかしながら、上述したビューファインダでは、白黒ＣＲＴの表示画面が接眼部の光軸と外れた位置、すなわち水平面において直角に配置され、またカラー表示パネルの表示面も接眼部の光軸と外れた位置、すなわち垂直面において直角に配置されている。このため、接眼部へ供給する映像を白黒ＣＲＴとカラー表示パネルのいずれかに切り換える反射鏡の動きが捻りを加える形になり、切り換え機構が複雑にならざるをえず、コストが嵩むと同時に、切換え時に予期せぬトラブルが発生しないとは言い切れない。
【００１１】
本発明は、上述のような実情に鑑みなされたもので、その目的とするものは放送用及び業務用ビデオカメラに適用されるビューファインダであって、白黒ＣＲＴとカラー表示パネルの映像を必要に応じて切り換え可能なものとし、簡単な機構で故障が少なく、そして安価な白黒及びカラー表示兼用ビューファインダを提供することにある。
【課題を解決するための手段】
【００１２】
本発明は、上記課題を達成するために、次の技術的手段を講じている。
すなわち、請求項１記載の白黒及びカラー表示兼用ビューファインダは、ビューファインダケース本体内に、ビデオカメラにより撮影した映像を表示する白黒ＣＲＴと、映像をカラー表示するカラー表示パネルとを備えた白黒及びカラー表示兼用ビューファインダであって、前記白黒ＣＲＴは接眼部への光軸から外れた位置に配置するとともに、前記カラー表示パネルは接眼部への光軸上に配置し、かつ前記ビューファインダケース本体内に一端部が軸支され駆動手段により回動自在な反射鏡を配置して、前記白黒ＣＲＴの表示する映像を選択する際は、当該映像を前記反射鏡により反射させることで前記接眼部へ供給させ、前記カラー表示パネルが表示する映像を選択する際は、前記反射鏡を前記接眼部への光軸を遮らない位置に回動させることで当該映像を直接前記接眼部へ供給させるようにしたことを特徴としている。
【００１３】
また、請求項２記載の白黒及びカラー表示兼用ビューファインダは、請求項１記載の発明において、反射鏡は駆動手段により、オートホワイトバランス調整機能が実行されると前記カラー表示パネルが表示する映像を選択する位置に自動的に駆動され、オートホワイトバランス調整機能が完了すると所定時間経過後に白黒ＣＲＴが表示する映像を選択する位置に自動的に復帰するように構成されていることを特徴としている。
【００１４】
またさらに、請求項３記載の白黒及びカラー表示兼用ビューファインダは、請求項１又は請求項２記載の発明において、白黒ＣＲＴ及びカラー表示パネルへの電源は、反射鏡の切換え動作を検出する切換え検出回路からの検出信号により制御され、白黒ＣＲＴ又はカラー表示パネルのうち表示映像が選択されていない側の電源が自動的に切られるように構成されていることを特徴としている。
【発明の効果】
【００１５】
請求項１記載の発明では、ビューファインダケース本体内の限られた空間を有効に利用し、簡単な構成で白黒映像とカラー表示映像を状況に応じて適宜選択することができるので、色温度やフォーカスを正確に合わせることができ、質の高い映像を撮影することができる。
【００１６】
請求項２記載の発明では、オートホワイトバランス調整機能が実行されると自動的にカラー映像が選択され、且つ調整完了すると白黒映像に自動的に復帰させることができるので、煩わしい切り換え操作がなくなり、撮影作業を効率良く進めることができる。
【００１７】
請求項３記載の発明では、前記白黒ＣＲＴ又は前記カラー表示パネルのうち表示映像が選択されていない側の電源を自動的に切れるので、表示装置を追加したことによる不要な電力消費を防ぎ、従来とほぼ変わらない程度の消費電力に抑えることができる。
【発明を実施するための最良の形態】
【００１８】
以下、本発明に係る白黒及びカラー表示兼用ビューファインダの実施の形態を、図面を参照しながら説明する。
図１は本発明に係る白黒及びカラー表示兼用ビューファインダ１００の実施の形態を示し、（ａ）は反射鏡を切り換えて白黒ＣＲＴ側の映像を選択した場合の平面断面図、（ｂ）は同様に反射鏡を切り換えてカラー表示パネル側の映像を選択した場合の平面断面図を示している。
【００１９】
ビューファインダ１００のビューファインダケース本体１０内には、撮影した映像を高解像度で白黒表示する白黒ＣＲＴ１１が接眼部３０への光軸４０に対して直角な位置に設けられており、液晶表示ユニットからなるカラー表示パネル１２が接眼部３０への光軸４０上に設けられている。
なお、上記２つの表示器１１，１２へ供給する映像信号は、製造工数面で見ると当然に配線数の少ない方がよいので、ビデオカメラ本体の映像処理回路において、そのＥＮＣ（エンコーダ）出力信号から、それぞれ１本ずつ取り出して配線するのがよい。
従来、液晶ユニットから成るカラー表示パネル１２はその入力信号の形式に制限があったが、現在ではＥＮＣ信号、コンポーネント信号、そしてＲＧＢ信号について、どの形式の信号が入力されても表示することができるものが多いので、配線数の最も少なくて済むＥＮＣ出力信号から信号を取り出す。
また、本発明においてカラー表示パネル１２を設けた目的は、撮影した映像の色の確認のみであり解像度は必要としていないので、カラー表示パネル１２は安価な低解像度のものを使用し、かつＥＮＣ出力信号から信号を取り出せば、ビューファインダ装置全体を安価に構成することができる。
【００２０】
また、ビューファインダケース本体１０内には、ケース本体１０に回動自在に配置された回動軸１３が設けられており、該回動軸１３には反射鏡１４の一端部が軸支されていて、回動軸１３が回動するに伴い反射鏡１４も回動するように構成されている。
該反射鏡１４の反射面１４ａは、図１（ａ）に示すように、白黒ＣＲＴ１１の表示映像を反射して接眼部３０へ供給する通常の状態においては、接眼部３０への光軸４０に対して４５°の角度でもって配置されている。
【００２１】
一方、カラー表示パネル１２の映像を接眼部３０へ供給するように選択された場合には、回動軸１３が回動して反射鏡１４の反射面１４ａは、図１（ｂ）に示すように、光軸４０と平行になって光軸４０を遮らない位置に退避し、白黒ＣＲＴ１１の表示面を塞ぐように位置する。
【００２２】
次ぎに、この反射鏡１４の回動制御について説明する。
図２は、本実施の形態に係る白黒及びカラー表示兼用ビューファインダの映像の切り換え系統を示した電気的に示したブロック図である。
図において、符号２１はＡＷＢ（Ａｕｔｏ  Ｗｈｉｔｅ  Ｂａｌａｎｃｅ）ボタン等（図示せず）が押されると出力されるＡＷＢ実行のステータス信号、２２はサーボモータ駆動回路の制御手段であるＣＰＵ（Ｃｅｎｔｒａｌ  Ｐｒｏｃｅｓｓｉｎｇ  Ｕｎｉｔ）、２３はサーボモータを駆動させる駆動回路、２４は反射鏡切り換えスイッチ、２５は反射鏡を動かす駆動手段としてのサーボモータ、１１は白黒ＣＲＴ、１２はカラー表示パネル、１３は回動軸、１４は反射鏡、そして、２９は反射鏡の切り換え検出回路である。
なお、ここで、点線で囲まれた範囲がビューファインダ部２０であり、図１におけるビューファインダケース本体１０内に収納されている。
【００２３】
ここで、反射鏡１４の切り換え検出回路２９は反射鏡１４の切り換え動作を検出し、白黒ＣＲＴ１１とカラー表示パネル１２へ検出信号を送る仕組みになっている。
【００２４】
以上のように構成された本実施形態に係る白黒及びカラー表示兼用ビューファインダについて、その動作を図１（ａ）、（ｂ）と図２を用いながら説明する。図１（ａ）及び（ｂ）に示すようにビューファインダケース本体１０の内部には、白黒ＣＲＴ１１とカラー表示パネル１２が、互いに直角に位置するように配置されている。
【００２５】
具体的には、白黒ＣＲＴ１１が接眼部３０への光軸４０に対して直角に位置するように配置され、カラー表示パネル１２が接眼部３０への光軸４０上であって、反射鏡１４の奥の位置に配置されている。
【００２６】
通常の撮影ではマニュアルでフォーカスを合わせなければならないので、図１（ａ）に示すように反射鏡１４を接眼部への光軸に対して４５°の角度に位置するように動かす。これにより、白黒ＣＲＴ１１の表示映像を反射鏡１４に反射させ、高解像度を有する白黒映像が接眼部３０へ供給される。
【００２７】
また、ホワイトバランス調整をする場合には、ビデオカメラ本体にあるＡＷＢボタン（図示せず）を押すと、ＡＷＢ実行のステータス信号２１が制御手段であるＣＰＵ２２に入力される。その後、ＣＰＵ２２からサーボモータ駆動回路２３へ制御信号が送られ、駆動信号がサーボモータ駆動回路２３よりサーボモータ２５へ供給される。これによりサーボモータ２５が駆動し、該サーボモータ２５に連結された回動軸１３が回動し、反射鏡１４が左側端部（図１参照）を軸として回動する。
【００２８】
そうすると、図１（ｂ）に示すように反射鏡１４が接眼部３０への光軸４０を遮らないような状態となり、その奥にあるカラー表示パネル１２の表示映像が直接に接眼部３０へと供給されることになる。
【００２９】
以上のように、ＡＷＢボタンが押されると自動的にカラー表示パネル１２側のカラー映像に切り換えることができるので、撮影者は煩わしい操作をすることなく、色温度（ホワイトバランス）が合っているかを確認することができ、調整が可能となる。
【００３０】
次に、ホワイトバランス調整が完了した後、予め設定された時間が経過すると白黒ＣＲＴ１１側の白黒映像に自動的に復帰する。その際、当該切り換え時に白黒ＣＲＴ１１又はカラー表示パネル１２のうち反射鏡１４で選択されていない側の表示装置については、切り換え検出回路２９からの検出信号により、所定の時間が経過すると自動的に電源が切れるように構成されている。これにより消費電力を従来とほぼ変わらない程度にまで抑えることができる。
【００３１】
また、ビューファインダ部２０には、手動で映像の切り替えができるように反射鏡切り換えスイッチ２４が設けられている。この反射鏡切り換えスイッチ２４が操作されると、ＣＰＵ２２を介さず直接サーボモータ駆動回路２３へ制御信号が送られるので、ＣＰＵ２２の制御を強制的に遮断し、手動で反射鏡１４を切り換えることができる。
【００３２】
よって、撮影の際に被写体の姿・格好がどれも似ていて、白黒では見分けるのが困難なときには、色の違いにより見分ける方法として、一時的にカラー映像に切り換えて確認する方法として非常に有用である。
【産業上の利用可能性】
【００３３】
本発明は、正確なフォーカス調整と撮影前のホワイトバランス調整等、被写体の色温度の状態とをビデオカメラ上で確認したい場合に、これら両者を効果的に行うことができ、特に放送用及び業務用ビデオカメラに適用されるビューファインダに利用できる。
【図面の簡単な説明】
【００３４】
【図１】（ａ）は本発明に係る白黒及びカラー表示兼用ビューファインダの実施の形態において、反射鏡を切り換えて白黒ＣＲＴ側の映像を選択した場合の平面断面図、（ｂ）は反射鏡を切り換えてカラー表示パネル側の映像を選択した場合の平面断面図である。
【図２】本発明に係る白黒及びカラー表示兼用ビューファインダの実施の形態において、映像の切り換え系統を示したブロック図である。
【符号の説明】
【００３５】
１０  ビューファインダケース本体
１１  白黒ＣＲＴ
１２  カラー表示パネル
１３  回動軸
１４  反射鏡
２０  ビューファインダ部
２１  ＡＷＢ実行のステータス信号
２２  ＣＰＵ
２３  サーボモータ駆動回路
２４  反射鏡切り換えスイッチ
２５  サーボモータ
２９  切り換え検出回路
３０  接眼部
４０  光軸
１００  ビューファインダ
【図１】
2006067407.tif 000003
【図２】
2006067407.tif 000004